(57)【要約】本発明の課題は、携帯端末の筐体を閉じた状態でも使用することができ、また携帯端末を鞄等の人体から離れた物に収容しても快適に使用することができる音声認識機能制御方法及び無線通信システムを提供することである。  携帯電話（１０）が、ヘッドセット（２０）との間の通信を無線で行い、ヘッドセット（２０）からの音声認識開始要求に応じて音声認識部（１０６）を起動させる。筐体が開状態であれば、「ボイスダイヤル」、「ボイス検索」、「ボイス設定」、「カメラ操作」の４つの機能うち、ヘッドセット（２０）で指定された機能を選択し、さらに選択した機能を達成するためのデータが保存されている辞書（１０８）を用いて音声認識部（１０６）を制御し、一方、筐体が閉状態であれば、「ボイスダイヤル」機能を選択し、さらに「ボイスダイヤル」機能を達成するためのデータが保存されている辞書（１０７）を用いて音声認識部（１０６）を制御する。
2008084556.tif 000002
【特許請求の範囲】
【請求項１】
少なくともマイクを有する外部機器と、前記外部機器との間で音声認識開始要求を含む無線通信を行う、少なくとも２つの開閉可能な筐体を有する携帯端末とを備えた無線通信システムにおける携帯端末の音声認識機能制御方法において、
前記外部機器からの前記音声認識開始要求に応じて、前記携帯端末にて音声認識機能を起動させる音声認識機能起動工程と、
前記携帯端末にて前記２つの筐体の開閉状態を検出する開閉状態検出工程と、
前記開閉状態検出工程での検出結果に応じて、前記携帯端末にて既に前記音声認識機能起動工程で起動されている前記音声認識機能を用いて前記外部機器からの音声信号により、前記携帯端末にて所定の複数の機能から少なくとも１つの機能を選択する機能選択工程と、
を備えた携帯端末の音声認識機能制御方法。
【請求項２】
前記機能選択工程は、前記開閉状態検出工程で前記２つの筐体の閉状態が検出された場合には、前記２つの筐体の開状態が検出された場合より前記携帯端末にて選択する機能の数を少なくする請求項１に記載の携帯端末の音声認識機能制御方法。
【請求項３】
前記機能選択工程において、前記所定の複数の機能は、「ボイスダイヤル」、「ボイス検索」及び［ボイス設定亅を含んでいる請求項１又は請求項２に記載の携帯端末の音声認識機能制御方法。
【請求項４】
前記外部機器と前記携帯端末との間で行われる無線通信は、ブルートゥース又はＷＬＡＮによる無線通信である請求項１乃至請求項３のいずれかに記載の携帯端末の音声認識機能制御方法。
【請求項５】
前記外部機器は、前記マイクの他にスピーカを有するヘッドセットである請求項１乃至請求項４のいずれかに記載の携帯端末の音声認識機能制御方法。
【請求項６】
少なくともマイクを有する外部機器と、前記外部機器との間で音声認識開始要求を含む無線通信を行う、少なくとも２つの開閉可能な筐体を有する携帯端末とを備えた無線通信システムにおいて、
前記外部機器からの前記音声認識開始要求に応じて、前記携帯端末にて音声認識機能を起動させる音声認識機能起動手段と、
前記携帯端末にて前記２つの筐体の開閉状態を検出する開閉状態検出手段と、
前記開閉状態検出手段での検出結果に応じて、前記携帯端末にて既に前記音声認識機能起動手段により起動されている前記音声認識機能を用いて前記外部機器からの音声信号により、前記携帯端末にて所定の複数の機能から少なくとも１つの機能を選択する機能選択手段と、
を備えた無線通信システム。
【請求項７】
前記機能選択手段は、前記開閉状態検出手段により前記２つの筐体の閉状態が検出された場合には、前記２つの筐体の開状態が検出された場合より前記携帯端末にて選択する機能の数を少なくする請求項６に記載の無線通信システム。
【請求項８】
前記機能選択手段において、前記所定の複数の機能は、「ボイスダイヤル」、「ボイス検索」及び「ボイス設定」を含んでいる請求項６又は請求項７に記載の無線通信システム。
【請求項９】
前記外部機器と前記携帯端末との間で行われる無線通信は、ブルートゥース又はＷＬＡＮによる無線通信である請求項６乃至請求項８のいずれかに記載の無線通信システム。
【請求項１０】
前記外部機器は、前記マイクの他にスピーカを有するヘッドセットである請求項６乃至請求項９のいずれかに記載の無線通信システム。
【請求項１１】
少なくともマイクを有する外部機器と、前記外部機器との間で音声認識開始要求を含む無線通信を行う、少なくとも２つの開閉可能な筐体を有する携帯端末において、
前記外部機器からの前記音声認識開始要求に応じて、音声認識機能を起動させる音声認識機能起動手段と、
前記２つの筐体の開閉状態を検出する開閉状態検出手段と、
前記開閉状態検出手段での検出結果に応じて、既に前記音声認識機能起動手段により起動されている前記音声認識機能を用いて前記外部機器からの音声信号により、所定の複数の機能から少なくとも１つの機能を選択する機能選択手段と、
を備えた携帯端末。
【請求項１２】
既に前記音声認識機能起動手段により起動されている前記音声認識機能を、前記機能選択手段により選択された前記少なくとも１つの機能を達成するためのデータが保存されているデータ保存手段を用いて、前記外部機器からの音声信号に応じて制御する音声認識機能制御手段を備えた請求項１１に記載の携帯端末。
【請求項１３】
前記機能選択手段は、前記開閉状態検出手段により前記２つの筐体の閉状態が検出された場合には、前記２つの筐体の開状態が検出された場合より前記携帯端末にて選択する機能の数を少なくする請求項１１又は請求項１２に記載の携帯端末。
【請求項１４】
前記機能選択手段において、前記所定の複数の機能は、「ボイスダイヤル」、「ボイス検索」又は「ボイス設定」を含んでいる請求項１１乃至請求項１３のいずれかに記載の携帯端末。
【請求項１５】
前記機能選択手段において、前記所定の複数の機能は、「ボイスダイヤル」、「ボイス検索」、「ボイス設定」及び「カメラ操作」を含んでいる請求項１１乃至請求項１３のいずれかに記載の携帯端末。
【請求項１６】
前記外部機器との間で行われる無線通信は、ブルートゥース又はＷＬＡＮによる無線通信である請求項１１乃至請求項１５のいずれかに記載の携帯端末。
【請求項１７】
前記外部機器は、前記マイクの他にスピーカを有するヘッドセットである請求項１１乃至請求項１６のいずれかに記載の携帯端末。
【発明の詳細な説明】
【技術分野】
【０００１】  本発明は、携帯端末を音声認識で制御する携帯端末の音声認識機能制御方法及び音声認識機能を有する携帯端末を備える無線通信システムに関する。
【背景技術】
【０００２】  従来、音声認識機能を備えた携帯端末が提案されている。特許文献１では、折り畳み型やフリップ型（キー操作部を覆う開閉カバーを設けたタイプ）の携帯端末において、折り畳んだ状態や開閉カバーを閉じた状態（以下、「筐体を閉じた」と呼ぶ）から、発信時において開いた（以下、「筐体を開いた」と呼ぶ）際に自動的に音声認識機能を起動し、且つ発信にかかる音声データを音声認識して、音声認識が正常に行えた場合にダイヤル発信禁止を解除するとともに、特定の電話番号に対して自動発信する技術が開示されている。【０００３】  また、ヘッドセットにてハンズフリー通話を可能とした携帯端末において、「ボイスダイヤル自動発信＝オン」及び「ヘッドセット発信＝オン」の設定後、ヘッドセットを携帯端末に有線接続することで、ヘッドセットからの音声データを音声認識して自動発信する携帯端末も提案されている。【０００４】
【特許文献１】特開２０００−２４４６２５号公報
【発明の開示】
【発明が解決しようとする課題】
【０００５】  しかしながら、上述した従来の音声認識機能を備えた携帯端末においては、以下に述べるような問題がある。【０００６】（１）折り畳み型にしてもフリップ型にしても、筐体を開かないと音声認識機能が起動しないので、ヘッドセットを用いる場合に、携帯端末を鞄や衣服のポケットに収容したままでは使用することができない。【０００７】（２）ヘッドセットと携帯端末を有線で接続することから、携帯端末を衣服のポケットに収容して使用する場合は我慢できるものの、鞄等の人体から離れた物に収容する場合はケーブルが邪魔になって使用し難い。【０００８】（３）音声を誤認識した場合、携帯端末側でキーパッドによる補助操作（すなわち手動によるキーパッド操作）が必要となる。例えば、「ボイスダイヤル」とマイクに向かって話した後、「ボイス検索」又は「ボイス設定」が抽出された場合、キーパッドによる補助操作が必要となる。また、自分の望まない人物が検索された場合には、それをキャンセルするためにキーパッドによる補助操作が必要となる。また、該当するものが１つも無かった場合など認識に失敗した場合にも、キーパッドによる補助操作が必要となる。なお、認識に失敗した場合、ＰＯＰＵＰ（ポップアップ）画面が表示されるものがあり、その画面のメッセージに従ってキーパッドによる補助操作を行うことになる。【０００９】  本発明は、係る事情に鑑みてなされたものであり、携帯端末の筐体を閉じた状態でも使用することができ、また携帯端末を鞄等の人体から離れた物に収容しても快適に使用することができ、さらに携帯端末の筐体を閉じた状態での使用時における音声の誤認識を少なくすることができる携帯端末の音声認識機能制御方法及び無線通信システムを提供することを目的とする。
【課題を解決するための手段】
【００１０】  上記目的は下記方法及び構成により達成される。
本発明の携帯端末の音声認識機能制御方法は、少なくともマイクを有する外部機器と、前記外部機器との間で音声認識開始要求を含む無線通信を行う、少なくとも２つの開閉可能な筐体を有する携帯端末とを備えた無線通信システムにおける携帯端末の音声認識機能制御方法において、前記外部機器からの前記音声認識開始要求に応じて、前記携帯端末にて音声認識機能を起動させる音声認識機能起動工程と、前記携帯端末にて前記２つの筐体の開閉状態を検出する開閉状態検出工程と、前記開閉状態検出工程での検出結果に応じて、前記携帯端末にて既に前記音声認識機能起動工程で起動されている前記音声認識機能を用いて前記外部機器からの音声信号により、前記携帯端末にて所定の複数の機能から少なくとも１つの機能を選択する機能選択工程と、を備える。【００１１】  上記方法によれば、外部機器と携帯端末との間の通信を無線で行い、外部機器からの音声認識開始要求に応じて携帯端末の音声認識機能を起動させ、筐体の開閉状態に応じて携帯端末が持つ複数の機能うち、少なくとも１つの機能を選択するので、携帯端末の筐体が閉状態であっても使用することが可能となる。また、無線にすることでヘッドセットと携帯電話との間の配線が不要となり、携帯端末を鞄等の人体から離れた物に収容してもケーブルが邪魔をすることがなく、快適に使用することができる。【００１２】  本発明の携帯端末の音声認識機能制御方法は、前記機能選択工程が、前記開閉状態検出工程で前記２つの筐体の閉状態が検出された場合には、前記２つの筐体の開状態が検出された場合より前記携帯端末にて選択する機能の数を少なくする。【００１３】  上記方法によれば、筐体を閉状態にしたときに選択できる機能数を、開状態にしたときに選択できる機能数よりも少なくするので、音声の誤認識が少なくなる。すなわち、筐体が閉状態にあるときに選択可能な機能数を必要最低限とすることで、音声を誤認識する確率を下げることができる。例えば、「ボイスダイヤル」、「ボイス検索」、「ボイス設定」及び「カメラ操作」といった機能のうち、筐体が閉状態にあるときには「ボイスダイヤル」のみしか利用できないようにする。【００１４】  本発明の携帯端末の音声認識機能制御方法は、前記機能選択工程において、前記所定の複数の機能は、「ボイスダイヤル」、「ボイス検索」及び「ボイス設定」を含んでいる。【００１５】  上記方法によれば、外部機器側で音声入力することにより、「ボイスダイヤル」、「ボイス検索」及び「ボイス設定」といった機能から少なくとも１つの機能を選択することができる。【００１６】  本発明の携帯端末の音声認識機能制御方法は、前記外部機器と前記携帯端末との間で行われる無線通信は、ブルートゥース又はＷＬＡＮ（Ｗｉｒｅｌｅｓｓ  ＬＡＮ）による無線通信である。【００１７】  上記方法によれば、ブルートゥース又はＷＬＡＮによる無線通信を用いるので、外部機器と携帯端末とを有線で接続することなく、それらの間の通信を容易に行うことができる。【００１８】  本発明の携帯端末の音声認識機能制御方法は、前記外部機器は、前記マイクの他にスピーカを有するヘッドセットである。【００１９】  上記方法によれば、外部機器として、マイクとスピーカ���一体となった音声入出力装置であるヘッドセットを用いるので、両手を使うことなく通話を行うことができる。すなわち、ハンズフリー通話が可能となる。【００２０】  本発明の無線通信システムは、少なくともマイクを有する外部機器と、前記外部機器との間で音声認識開始要求を含む無線通信を行う、少なくとも２つの開閉可能な筐体を有する携帯端末とを備えた無線通信システムにおいて、前記外部機器からの前記音声認識開始要求に応じて、前記携帯端末にて音声認識機能を起動させる音声認識機能起動手段と、前記携帯端末にて前記２つの筐体の開閉状態を検出する開閉状態検出手段と、前記開閉状態検出手段での検出結果に応じて、前記携帯端末にて既に前記音声認識機能起動手段により起動されている前記音声認識機能を用いて前記外部機器からの音声信号により、前記携帯端末にて所定の複数の機能から少なくとも１つの機能を選択する機能選択手段と、を備える。【００２１】  上記構成によれば、外部機器と携帯端末との間の通信を無線で行い、外部機器がらの音声認識開始要求に応じて携帯端末の音声認識機能を起動させ、筐体の開閉状態に応じて携帯端末が持つ複数の機能うち、少なくとも１つの機能を選択するので、携帯端末の筐体が閉状態であっても使用することが可能となる。また、無線にすることでヘッドセットと携帯電話との間の配線が不要となり、携帯端末を鞄等の人体から離れた物に収容してもケーブルが邪魔をすることがなく、快適に使用することができる。【００２２】  本発明の無線通信システムは、前記機能選択手段が、前記開閉状態検出手段により前記２つの筐体の閉状態が検出された場合には、前記２つの筐体の開状態が検出された場合より前記携帯端末にて選択する機能の数を少なくする。【００２３】  上記構成によれば、携帯端末の筐体を閉状態にしたときに選択できる機能数を、開状態にしたときに選択できる機能数よりも少なくするので、音声の誤認識が少なくなる。すなわち、筐体が閉状態にあるときに選択可能な機能数を必要最低限とすることで、音声を誤認識する確率を下げることができる。例えば、「ボイスダイヤル」、「ボイス検索」、「ボイス設定」及び「カメラ操作」といった機能のうち筐体が閉状態にあるときには「ボイスダイヤル」のみしか利用できないようにする。【００２４】  本発明の無線通信システムは、前記機能選択手段において、前記所定の複数の機能は、「ボイスダイヤル」、「ボイス検索」及び「ボイス設定」を含んでいる。【００２５】  上記構成によれば、外部機器側で音声入力することにより、「ボイスダイヤル」、「ボイス検索」及び「ボイス設定」といった機能から少なくとも１つの機能を選択することができる。【００２６】  本発明の無線通信システムは、前記外部機器と前記携帯端末との間で行われる無線通信が、ブルートゥース又はＷＬＡＮによる無線通信である。【００２７】  上記構成によれば、ブルートゥース又はＷＬＡＮによる無線通信を用いるので、外部機器と携帯端末とを有線で接続することなく、それらの間の通信を容易に行うことができる。【００２８】  本発明の無線通信システムは、前記外部機器は、前記マイクの他にスピーカを有するヘッドセットである。【００２９】  上記構成によれ��、外部機器として、マイクとスピーカが一体となった音声入出力装置であるヘッドセットを用いるので、両手を使うことなく通話を行うことができる。すなわち、ハンズフリー通話が可能となる。【００３０】  本発明の携帯端末は、少なくともマイクを有する外部機器と、前記外部機器との間で音声認識開始要求を含む無線通信を行う、少なくとも２つの開閉可能な筐体を有する携帯端末において、前記外部機器からの前記音声認識開始要求に応じて、音声認識機能を起動させる音声認識機能起動手段と、前記２つの筐体の開閉状態を検出する開閉状態検出手段と、前記開閉状態検出手段での検出結果に応じて、既に前記音声認識機能起動手段により起動されている前記音声認識機能を用いて前記外部機器からの音声信号により、所定の複数の機能から少なくとも１つの機能を選択する機能選択手段と、を備える。【００３１】  上記構成によれば、携帯端末は、外部機器との間の通信を無線で行い、外部機器から音声認識開始要求があると、その要求に応じて音声認識機能を起動させる。そして、筐体の開閉状態を検出して、その検出結果に応じて自装置が持つ複数の機能うち、少なくとも１つの機能を選択するので、筐体が閉状態であっても使用することが可能となる。また、無線にすることでヘッドセットとの間の配線が不要となり、鞄等の人体から離れた物に収容してもケーブルが邪魔をすることがなく、快適に使用することができる。【００３２】  本発明の携帯端末は、さらに既に前記音声認識機能起動手段により起動されている前記音声認識機能を、前記機能選択手段により選択された前記少なくとも１つの機能を達成するためのデータが保存されているデータ保存手段を用いて、前記外部機器からの音声信号に応じて制御する音声認識機能制御手段を備える。【００３３】  上記構成によれば、携帯端末は、外部機器との間の通信を無線で行い、外部機器から音声認識開始要求があると、その要求に応じて音声認識機能を起動させる。そして、筐体の開閉状態を検出して、その検出結果に応じて自装置が持つ複数の機能うち、少なくとも１つの機能を選択し、さらに、選択した少なくとも１つの機能を達成するためのデータが保存されている辞書を用いて、起動状態にある音声認識機能を制御するので、筐体が閉状態であっても使用することが可能となる。また、無線にすることでヘッドセットとの間の配線が不要となり、鞄等の人体から離れた物に収容してもケーブルが邪魔をすることがなく、快適に使用することができる。【００３４】  本発明の携帯端末は、前記機能選択手段が、前記開閉状態検出手段により前記２つの筐体の閉状態が検出された場合には、前記２つの筐体の開状態が検出された場合より選択する機能の数を少なくする。【００３５】  上記構成によれば、筐体を閉状態にしたときに選択できる機能数を、開状熊にしたときに選択できる機能数よりも少なくするので、音声の誤認識が少なくなる。すなわち、筐体が閉状態にあるときに選択可能な機能数を必要最低限とすることで、音声を誤認識する確率を下げることができる。例えば、「ボイスダイヤル」、「ボイス検索」、「ボイス設定」及び「カメラ操作」といった機能のうち、筐体が閉状態にあるときには「ボイスダイヤル」のみしか��用できないようにする。【００３６】  本発明の携帯端末は、前記機能選択手段において、前記所定の複数の機能は、「ボイスダイヤル」、「ボイス検索」及び「ボイス設定」を含んでいる。【００３７】  上記構成によれば、外部機器側で音声入力することにより、「ボイスダイヤル」、「ボイス検索」及び「ボイス設定」といった機能から少なくとも１つの機能を選択することができる。【００３８】  本発明の携帯端末は、前記機能選択手段において、前記所定の複数の機能は、「ボイスダイヤル」、「ボイス検索」、「ボイス設定」及び「カメラ操作」を含んでいる。【００３９】  上記構成によれば、外部機器側で音声入力することにより、「ボイスダイヤル」、「ボイス検索」、「ボイス設定」及び「カメラ操作」といった機能から少なくとも１つの機能を選択することができる。【００４０】  本発明の携帯端末は、前記外部機器との間で行われる無線通信は、ブルートゥース又はＷＬＡＮによる無線通信である。【００４１】  上記構成によれば、ブルートゥース又はＷＬＡＮによる無線通信を用いるので、外部機器との間を有線で接続することなく、それらの間の通信を容易に行うことができる。【００４２】  本発明の携帯端末は、前記外部機器は、前記マイクの他にスピーカを有するヘッドセットである。【００４３】  上記構成によれば、外部機器として、マイクとスピーカが一体となった音声入出力装置であるヘッドセットを用いるので、両手を使うことなく通話を行うことができる。すなわち、ハンズフリー通話が可能となる。
【発明の効果】
【００４４】  本発明の携帯端末の音声認識機能制御方法及び無線通信システムは、携帯端末の筐体を閉じた状態でも使用することができ、また携帯端末を鞄等の人体から離れた物に収容しても快適に使用することができ、さらに携帯端末の筐体を閉じた状態での使用時における音声の誤認識を少なくすることができる。
【図面の簡単な説明】
【００４５】
【図１】本発明の一実施の形態に係る無線通信システムの概略構成を示すブロック図
【図２】図１の携帯電話の辞書（１）に保存されたデータの一例を示す図
【図３】図１の携帯電話の辞書（２）に保存されたデータの一例を示す図
【図４】図１の無線通信システムの動作を説明するためのフロー図
【図５】図１の携帯電話に用いる辞書の他の例を示す図
【符号の説明】
【００４６】  １  無線通信システム
１０  携帯電話
２０  ヘッドセット
３０  基地局
１０１  セルラー無線通信送受信部
１０２  アンテナ
１０３  ブルートゥース無線送受信部
１０４  アンテナ
１０５  筐体開閉検出部
１０６  音声認識部
１０７  辞書（１）
１０８  辞書（２）
１０９  スピーカ
１１０  表示部
１１１  ダイヤルボタン
１１２  開始ボタン
１１３  マイク
１１４  カメラ
１１５  携帯電話制御部
１２０  辞書
２０１  ブルートゥース無線送受信部
２０２  アンテナ
２０３  スピーカ
２０４  入力ボタン
２０５  マイク
２０６  ヘッドセット制御部
【発明を実施するための最良の形態】
【００４７】  以下、本発明を実施するための好適な実施の形態について、図面を参照して詳細に説明する。【００４８】  図１は、本発明の一実施の形態に係る無線通信システムの概略構成を示すブロック図である。図１において、本実施の形態の無線通信システム１は、携帯電話１０と、携帯電話１０との間で無線通信を行う外部機器であるヘッドセット２０とを備えている。携帯電話１０は、２つの開閉可能な筐体を有する折り畳み型の携帯端末である。なお、携帯端末には、携帯電話の他に、ＰＨＳ（Ｐｅｒｓｏｎａｌ  Ｈａｎｄｙ−Ｐｈｏｎｅ  Ｓｙｓｔｅｍ）、無線通信機能を搭載したＰＤＡ（Ｐｅｒｓｏｎａｌ  Ｄｉｇｉｔａｌ  Ａｓｓｉｓｔａｎｔｓ）やモバイルノートパソコンなどがあるが、本実施の形態では携帯電話を例に挙げている。【００４９】  携帯電話１０は、移動体通信網の基地局３０を介して他の携帯電話（図示略）と無線通信を行うセルラー無線通信送受信部１０１と、セルラー無線通信送受信部１０１に接続されたアンテナ１０２と、ヘッドセット２０との間でブルートゥースによる無線通信を行うブルートゥース無線送受信部１０３と、ブルートゥース無線送受信部１０３に接続されたアンテナ１０４と、携帯電話１０の筐体の開閉を検出する筐体開閉検出部１０５と、ブルートゥース無線送受信部１０３にて受信されたヘッドセット２０からの音声信号を音声認識する音声認識部１０６と、音声認識部１０６で用いられるデータが保存されている辞書（１）１０７及び辞書（２）１０８と、セルラー無線通信送受信部１０１による広域通信時に通信相手の他の携帯電話（図示略）からの音声を出力するためのスピーカ１０９と、携帯電話１０の動作における各種表示を行うための表示部１１０と、ダイヤル入力等を行うためのダイヤルボタン（キーパッド）１１１と、発信を開始するための開始ボタン（オフフックキー）１１２と、セルラー無線通信送受信部１０１による広域通信時に携帯電話１０のユーザの音声を入力するためのマイク１１３と、被写体を撮像するためのカメラ１１４と、携帯電話１０の各部を制御する携帯電話制御部１１５とを備えている。【００５０】  本実施の形態の携帯電話１０は、一般的な携帯電話と同様の手動によるダイヤル入力の他に、電話帳設定機能の「ボイスダイヤル設定」にてボイスダイヤル登録名（電話帳に登録しているデータのうち、ボイスダイヤル呼出しの対象として設定されたもの）へ設定したデータの読み出しを行う機能（ボイスダイヤル）と、携帯電話１０が備える複数の機能のうち、探したい機能を検索する機能（ボイス検索）と、ボイスダイヤル関連の設定を行う機能（ボイス設定）と、カメラ操作を可能とする機能（カメラ操作）とを備えている。【００５１】  「ボイスダイヤル」機能は、「ボイスダイヤル登録→ボイスダイヤル」でユーザが手動で呼び出す機能と同等である。後に詳述する携帯電話１０の音声認識部１０６の起動後、ユーザがヘッドセット２０のマイク２０５に向かって「ボイスダイヤル」と発声することで、携帯電話１０は「ボイスダイヤル」機能に遷移する。「ボイス検索」機能は、「メニュー→ステーショナリー→使い方案内→ボイス検索」でユーザが手動で呼び出す機能と同等である。なお、探したい機能として、「カメラ機能」、「時計機能」等がある。上述同様、音声認識部１０６の起動後、ユーザがヘッドセット２０のマイク２０５に向かって「ボイス検索」と発声することで、携帯電話１０は「ボイス検索」機能に遷移する。【００５２】  「ボイス設定」機能は、「メニュー→設定→その他→ボイス設定」でユーザが手動で呼び出した機能と同等である。なお、設定する機能として、［ボイスダイヤル自動発信」、「音声自動発信」等がある。上述同様、音声認識部１０６の起動後、ユーザがヘッドセット２０のマイク２０５に向かって「ボイス設定」と発声することで、携帯電話１０は「ボイス設定」機能に遷移する。「カメラ操作」機能は、「メニュー→ステーショナリー→カメラ操作」でユーザが手動で呼び出した機能と同等である。上述同様、音声認識部１０６の起動後、ユーザがヘッドセット２０のマイク２０５に向かって「カメラ操作」と発声することで、携帯電話１０は「カメラ操作」機能に遷移する。【００５３】  辞書（１）１０７及び辞書（２）１０８は、それぞれフラッシュメモリ等の不揮発性メモリから構成される。図２は辞書（１）１０７に保存されたデータの一例を示す図であり、携帯電話１０の電話帳からボイスダイヤル登録した人の「名前」と「電話番号」のデータで構成される。名前のデータには、「読み」（例えば、「マツシタタロウ」、「ジョンウェイン」等）と「表示文字」（例えば、「松下太郎」、「Ｊｏｈｎ  Ｗａｙｎｅ」等）の両方のデータが含まれる。図３は辞書（２）１０８に保存されたデータの一例を示す図であり、辞書（１）１０７と同様のデータの他に、「ボイス検索」、「ボイス設定」及び「カメラ操作」の各データとそれぞれに対応する「使い方案内」、「音声認識の設定」及び「カメラ操作」の各データで構成される。「ボイス検索」、「ボイス設定」及び「カメラ操作」は、それぞれ「読み」と「表示文字」の両方が含まれる。【００５４】  辞書（１）１０７は携帯電話１０の筐体が閉状態のときに選択され、辞書（２）１０８は携帯電話１０の筐体が開状態のときに選択される。すなわち、携帯電話１０の筐体が開状態のときには「ボイスダイヤル」、「ボイス検索」、「ボイス設定」、「カメラ操作」の全ての機能が有効になるが、携帯電話１０の筐体が閉状態のときには「ボイスダイヤル」の機能のみが有効になる。【００５５】  筐体開閉検出部１０５は、携帯電話１０の筐体の開閉状態を検出するが、その検出は機構的に行っても良いし電気的に行っても良い。メカ的な検出としては、例えば押しボタンスイッチを用いる方法がある。この場合、２つの筐体の一方に押しボタンスイッチ本体を固定し、２つの筐体の他方に押しボタンスイッチの可動部が当たるようにする。これにより、筐体を閉じると、押しボタンスイッチの可動部が本体側に押し込まれてオン（又はオフ）となり、筐体を開けると、押しボタンスイッチの可動部が開放されてオフ（又はオン）となる。一方、電気的な検出としては、例えば発光素子と受光素子を備えたフォトセンサを用いる方法がある。この場合、筐体の開閉に応じて、発光素子と受光素子との間を遮るように構成する。これにより、筐体を閉じると、受光素子の出力がＨ（又はＬ）となり、筐体を開けると��受光素子の出力がＬ（又はＨ）となる。【００５６】  携帯端末制御部１１５は、ブルートゥース無線送受信部１０３を介してヘッドセット２０からの音声認識開始要求を受け取ることで音声認識部１０６を起動させる。ここで、本実施の形態では、携帯電話１０とヘッドセット２０との間の通信にＨＦＰ（Ｈａｎｄｓ  Ｆｒｅｅ  Ｐｒｏｆｉｌｅ）を用いている。このＨＦＰは車内やヘッドセットでハンズフリー通話を実現するためのプロファイルである。このＨＦＰを携帯電話１０とヘッドセット２０の双方が有する。なお、周知のようにブルートゥースは２．４ＧＨｚの周波数帯を用いて、半径１０〜１００ｍ程度の範囲内で、ブルートゥース搭載機器間で最大３Ｍｂｐｓで無線通信を行うものである。【００５７】  ヘッドセット２０からは、携帯電話１０に対して、音声認識開始要求時にＨＦＰのＡＴ＋ＢＶＲＡ＝“１”のコマンドが送信される。ここで、ＡＴ＋ＢＶＲＡコマンドは、“Ｅｎａｂｌｅｓ  ｏｒ  Ｄｉｓａｂｌｅｓ  ｖｏｉｃｅ  ｒｅｃｏｇｎｉｔｉｏｎ  ｉｎ  ｔｈｅ  ＡＧ（Ａｕｄｉｏ  Ｇａｔｅｗａｙ）”を意味するコマンドである。つまり、ＡＧにおいて、音声認識を可とするか、不可とするかを指示するコマンドである。なお、音声認識をオフ（キャンセル）する場合には、ヘッドセット２０から携帯電話１０に対して、ＡＴ＋ＢＶＲＡ＝“０”のコマンドが送信される。【００５８】  携帯電話制御部１１５は、ブルートゥース無線送受信部１０３を介して、ヘッドセット２０から送信されたＡＴ＋ＢＶＲＡ＝“１”のコマンドを受信すると音声認識部１０６を起動させる。音声認識部１０６を起動させた後は、２つの筐体の開閉状態を検出する筐体開閉検出部１０５の検出結果に応じて、音声認識部１０６の音声認識機能を用いてヘッドセット２０からの音声信号により、「ボイスダイヤル」、「ボイス検索」、「ボイス設定」、「カメラ操作」の４つの機能から１つの機能を選択する。この場合、筐体が開状態にあれば、携帯電話制御部１１５は、「ボイスダイヤル」、「ボイス検索」、「ボイス設定」、「カメラ操作」の４つの機能のうち、ヘッドセット２０から音声入力された機能を選択する。すなわち、「ボイスダイヤル」機能を指定する音声信号が入力されると、「ボイスダイヤル」機能を選択し、「ボイス検索」機能を指定する音声信号が入力されると、「ボイス検索」機能を選択し、「ボイス設定」機能を指定する音声信号が入力されると、「ボイス設定」機能を選択し、「カメラ操作」機能を指定する音声信号が入力されると、「カメラ操作」機能を選択する。一方、筐体が閉状態にあれば、携帯電話制御部１１５は、「ボイスダイヤル」機能のみを選択するので、「ボイスダイヤル」機能を指定する音声信号が入力された場合にのみ「ボイスダイヤル」機能を選択する。【００５９】  また、携帯電話制御部１１５は、筐体開閉検出部１０５の検出結果として筐体が閉状態にあれば、音声認識部１０６に対して辞書（１）１０７を使用するように指示し、筐体が開状態にあれば、音声認識部１０６に対して辞書（２）１０８を使用するように指示する。携帯電話制御部１１５は、辞書（１）１０７又は辞書（２）１０８を用いて、音声認識部１０６を制御する。すなわち、筐体開閉���出部１０５の検出結果として筐体が開状態であれば、自装置が持つ「ボイスダイヤル」、「ボイス検索」、「ボイス設定」、「カメラ操作」の４つの機能のうち、ヘッドセット２０で呼び出された機能を選択し、さらに選択した機能を達成するためのデータが保存されている辞書（２）１０８を用いて音声認識部１０６を制御し、一方、筐体が閉状態であれば、自装置が持つ「ボイスダイヤル」機能を選択し、さらに「ボイスダイヤル」の機能を達成するためのデータが保存されている辞書（１）１０７を用いて音声認識部１０６を制御する。【００６０】  ヘッドセット２０は、携帯電話１０との間でブルートゥースによる無線通信を行うブルートゥース無線送受信部２０１と、ブルートゥース無線送受信部２０１に接続されたアンテナ２０２と、ブルートゥースによる無線通信によって携帯電話１０から送信されてきた音声信号を出力するためのスピーカ２０３と、携帯電話１０の音声認識機能を起動及びキャンセルするための入力ボタン２０４と、ユーザの音声を入力するためのマイク２０５と、ヘッドセット２０の各部を制御するヘッドセット制御部２０６とを備えている。【００６１】  ヘッドセット制御部２０６は、入力ボタン２０４が押下されたことを検出すると、ブルートゥース無線送受信部２０１を介して携帯電話１０に音声認識開始要求を送信する。この場合、上述したように、ＨＦＰのＡＴ＋ＢＶＲＡ＝“１”のコマンドを送信する。また、ヘッドセット制御部２０６は、入力ボタン２０４がさらに押下されたことを検出すると、ブルートゥース無線送受信部２０１を介して携帯電話１０に音声認識終了要求を送信する。この場合、上述したように、ＨＦＰのＡＴ＋ＢＶＲＡ＝“０”のコマンドを送信する。【００６２】  次に、図４に示すフロー図を参照して、本実施の形態の無線通信システム１の動作について説明する。図４において、ヘッドセット２０において、ユーザが入力ボタン２０４を押下すると、ヘッドセット制御部２０６が、それを検出してＡＴ＋ＢＶＲＡ＝“１”のコマンドをブルートゥース無線送受信部２０１から携帯電話１０に送信する（ステップＳＴ１）。次いで、ヘッドセット２０で音声入力があると、音声データをブルートゥース無線送受信部２０１から携帯電話１０に送信する（ステップＳＴ２）。【００６３】  携帯電話１０において、ヘッドセット２０から送信されたＡＴ＋ＢＶＲＡ＝“１”のコマンドをブルートゥース無線送受信部１０３が受信することで、携帯電話制御部１１５はヘッドセット２０との間でＨＦＰによる無線リンクを確立する処理を行う。ヘッドセット２０との間でＨＦＰによる無線リンクが確立した後、携帯電話制御部１１５は、筐体開閉検出部１０５の検出結果として携帯電話１０の筐体の開閉状態を検出し（ステップＳＴ３）、携帯電話１０の筐体状態が開か閉かを判定し（ステップＳＴ４）、開であれば、辞書（２）１０８を用いて、「ボイスダイヤル」、「ボイス検索」、「ボイス設定」及び「カメラ操作」の４つの機能のうち、ヘッドセット２０から音声入力で指定されたものを選択し、選択した機能について音声認識を行う（ステップＳＴ５）。そして、音声認識に対応するガイド（案内）メッセージを表示部１１０に表示する（ステ��プＳＴ６）。一方、携帯電話１０の筐体状態が閉であれば、辞書（１）１０７を用いて、ヘッドセット２０からの音声入力により「ボイスダイヤル」機能を選択し、選択した「ボイスダイヤル」機能について音声認識を行う（ステップＳＴ７）。このとき、音声ガイダンスのデータは、携帯電話１０の筐体状態が開であっても閉であっても、携帯電話１０からヘッドセット２０に送信され、ヘッドセット２０のスピーカ２０３から音声出力される（ステップＳＴ８）。【００６４】  例えば、「ボイスダイヤル」機能が選択された場合、ユーザがヘッドセット２０のマイク２０５に向って「マツシタタロウ」と発声すると、携帯電話１０の音声認識部１０６で音声認識されて、筐体状態に応じて辞書（２）１０８又は辞書（１）１０７に保存されている読み「マツシタタロウ」に対応する表示文字「松下太郎」のデータが読み出されて、筐体状態が開であれば、それが表示部１１０に表示される。そして、「ボイスダイヤル」機能により、「松下太郎」の電話番号（０９０−ｘｘｘｘｘｘｘｘ）に対する自動発信が行われる。このときの「電話番号」は音声ガイダンスとしてヘッドセット２０に送信され、ヘッドセット２０のスピーカ２０３から音声出力される。【００６５】  また、筐体状態が開において、ユーザがヘッドセット２０のマイク２０５に向って「ボイスケンサク」と発声すると、携帯電話１０の音声認識部１０６で音声認識されて、辞書（２）１０８に保存されている読み「ボイスケンサク」に対応する表示文字「使い方案内」のデータが読み出されて、それが表示部１１０に表示される。そして、「ボイス検索」機能により、ユーザが探したい機能を検索する処理を行う。探したい機能としては、上述したようにカメラ、時計等がある。このときの「使い方案内」は音声ガイダンスとしてヘッドセット２０に送信され、ヘッドセット２０のスピーカ２０３から音声出力される。【００６６】  また、筐体状態が開において、ユーザがヘッドセット２０のマイク２０５に向って「ボイスセッテイ」と発声すると、携帯電話１０の音声認識部１０６で音声認識されて、辞書（２）１０８に保存されている読み「ボイスセッテイ」に対応する表示文字「音声認識の設定」のデータが読み出されて、それが表示部１１０に表示される。そして、［ボイス設定」機能により、ボイスダイヤル関連の設定を行う。ボイスダイヤル関連の設定には、上述したようにボイスダイヤル自動発信、音声自動発信がある。このときの「音声認識の設定」は音声ガイダンスとしてヘッドセット２０に送信され、ヘッドセット２０のスピーカ２０３から音声出力される。【００６７】  また、筐体状態が開において、ユーザがヘッドセット２０のマイク２０５に向って「カメラソウサ」と発声すると、携帯電話１０の音声認識部１０６で音声認識されて、辞書（２）１０８に保存されている読み「カメラソウサ」に対応する表示文字「カメラ操作」のデータが読み出されて、それが表示部１１０に表示される。そして、「カメラ操作」機能により、カメラ操作を行う。このときの「カメラ操作」は音声ガイダンスとしてヘッドセット２０に送信され、ヘッドセット２０のスピーカ２０３から音声出力される。【００６８】  その後、携帯電話１０���筐体状態が閉である場合は、携帯電話１０とヘッドセット２０との間でＨＦＰによる音声通話のみが行われる。すなわち、筐体状態が閉である場合は、「ボイスダイヤル」機能のみであるので、自動発信して繋がった通信相手の携帯電話（固定電話も含まれる）からの音声が携帯電話１０からヘッドセット２０に送信され、また携帯電話１０のユーザがヘッドセット２０のマイク２０５に向かって話した音声がヘッドセット２０から携帯電話１０に送信される。一方、携帯電話１０の筐体状態が開である場合は、携帯電話１０とヘッドセット２０との間でＨＦＰによる音声通話以外に他の通信も行われる。【００６９】  このように本実施の形態の無線通信システム１によれば、携帯電話１０が、ヘッドセット２０との間の通信を無線で行い、ヘッドセット２０から音声認識開始要求があると、その要求に応じて音声認識部１０６を起動させる。そして、筐体の開閉状態を検出して筐体が開状態であれば、自装置が持つ「ボイスダイヤル」、「ボイス検索」、「ボイス設定」、「カメラ操作」の４つの機能うち、ヘッドセット２０側で指定された機能を選択し、さらに選択した機能を達成するためのデータが保存されている辞書（２）１０８を用いて音声認識部１０６を制御し、一方、筐体が閉状態であれば、自装置が持つ「ボイスダイヤル」機能を選択し、さらに「ボイスダイヤル」機能を達成するためのデータが保存されている辞書（１）１０７を用いて音声認識部１０６を制御する。これにより、携帯電話１０の筐体が閉状態であっても使用することが可能となる。また、携帯電話１０とヘッドセット２０との間の接続にブルートゥースによる無線通信を用いることで、携帯電話１０とヘッドセット２０との間に配線が不要となり、携帯電話１０を鞄等の人体から離れた物に収容してもケーブルが邪魔をすることがなく、快適に使用することができる。【００７０】  また、携帯電話１０の筐体を閉状熊にしたときに選択できる機能を、例えば「ボイスダイヤル」のみとして、開状態にしたときに選択できる機能（例えば、「ボイスダイヤル」、「ボイス検索」、［ボイス設定］、「カメラ操作」）よりも少なくしたので、閉状態時に音声の誤認識が少なくなる。すなわち、筐体が閉状態にあるときに選択可能な機能数を必要最低限としたことで、音声を誤認識する確率を下げることができる。【００７１】  また、スピーカ２０３とマイク２０５が一体となったヘッドセット２０を用いたので、両手を使うことなく通話を行うことができる。すなわち、ハンズフリー通話が可能となる。【００７２】  なお、本実施の形態では、２つの辞書（１）１０７、辞書（２）１０８を用いたが、１つにまとめることも可能である。図５は辞書（１）１０７の内容と辞書（２）１０８の内容を１つにまとめた辞書１２０に保存されたデータの一例を示す図である。この辞書１２０では、辞書（１）１０７の内容と辞書（２）１０８の内容をフラグビットＦＬＡＧで識別できるようにしている。すなわち、携帯電話１０の筐体が閉状態にあるときには、フラグビット「１１」で指定されるデータのみを扱い、携帯電話１０の筐体が開状態にあるときには、フラグビット「１１」と「１０」の双方で指定されるデータを扱う。２つの辞書（１��１０７、辞書（２）１０８を１つにまとめることで、コストの削減及び携帯電話１０の小型化が図れる。【００７３】  また、本実施の形態では、ヘッドセット２０の入力ボタン２０４を音声認識開始要求と音声認識終了要求を行うためのものとしたが、音声の誤認識をキャンセルするためのものとして兼用させることも可能である。例えば入力ボタン２０４を１秒以上長押しすることで、キャンセル要求を出力する。このようにすることによって、携帯電話１０のユーザは、例えば自分の望まない人物を検索した場合に、キーパッド操作を行うことなく、ヘッドセット２０の入力ボタン２０４を押すだけでキャンセルすることができる。【００７４】  また、本実施の形態では、携帯電話１０の筐体を閉じているときのポップアップ（ＰＯＰＵＰ）画面について説明しなかったが、携帯電話１０の筐体を閉じているときにはポップアップ画面を表示しないようにし、ポップアップの内容を音声ガイダンスとして、ヘッドセット２０にて聴けるようにすれば良い。【００７５】  また、本実施の形態では、筐体が開状態であれば、「ボイスダイヤル」、「ボイス検索」、「ボイス設定］、「カメラ操作」の４つの機能から１つの機能を選択するものとしたが、「ボイスダイヤル」、「ボイス検索」、「ボイス設定」の３つの機能から１つの機能を選択するものとすること等も可能である。【００７６】  また、本実施の形態では、外部機器と携帯端末との間で行われる無線通信としてブルートゥースを説明したが、ＷＬＡＮ等の他の無線通信とすることも可能である。【００７７】  また、本実施の形態では、携帯電話１０は、２つの開閉可能な筐体を有する折り畳み型の携帯端末であるものとしたが、２つの筐体を互いにスライドさせることにより開閉させる携帯端末などのスライド型の携帯端末であっても良い。さらには、２つの筐体からなる開閉可能な型の携帯端末であれば他の型の携帯端末であっても良い。【００７８】  本発明を詳細にまた特定の実施態様を参照して説明したが、本発明の精神と範囲を逸脱することなく様々な変更や修正を加えることができることは当業者にとって明らかである。
【産業上の利用可能性】
【００７９】  本発明は、携帯端末の筐体を閉じた状態でも使用することができ、また携帯端末を鞄等の人体から離れた物に収容しても快適に使用することができ、さらに携帯端末の筐体を閉じた状態での使用時における誤認識を少なくすることができるといった効果を有し、音声認識機能を有するとともに、ヘッドセット等の外部機器と無線で接続される携帯端末への適用が可能である。
【図１】
2008084556.tif 000003
【図２】
2008084556.tif 000004
【図３】
2008084556.tif 000005
【図４】
2008084556.tif 000006
【図５】
2008084556.tif 000007
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
少なくともマイクを有する外部機器と、前記外部機器との間で音声認識開始要求を含む無線通信を行う、少なくとも２つの開閉可能な筐体を有する携帯端末とを備えた無線通信システムにおける携帯端末の音声認識機能制御方法において、
前記外部機器からの前記音声認識開始要求に応じて、前記携帯端末にて音声認識機能を起動させる音声認識機能起動工程と、
前記携帯端末にて前記２つの筐体の開閉状態を検出する開閉状態検出工程と、
前記開閉状態検出工程での検出結果に応じて、前記携帯端末にて既に前記音声認識機能起動工程で起動されている前記音声認識機能を用いて前記外部機器からの音声信号により、前記携帯端末にて所定の複数の機能から少なくとも１つの機能を選択する機能選択工程と、
を備えた携帯端末の音声認識機能制御方法。
【請求項２】
前記機能選択工程は、前記開閉状態検出工程で前記２つの筐体の閉状態が検出された場合には、前記２つの筐体の開状態が検出された場合より前記携帯端末にて選択する機能の数を少なくする請求項１に記載の携帯端末の音声認識機能制御方法。
【請求項３】
前記機能選択工程において、前記所定の複数の機能は、「ボイスダイヤル」、「ボイス検索」及び「ボイス設定」を含んでいる請求項１又は請求項２に記載の携帯端末の音声認識機能制御方法。
【請求項４】
前記外部機器と前記携帯端末との間で行われる無線通信は、ブルートゥース又はＷＬＡＮによる無線通信である請求項１乃至請求項３のいずれかに記載の携帯端末の音声認識機能制御方法。
【請求項５】
前記外部機器は、前記マイクの他にスピーカを有するヘッドセットである請求項１乃至請求項４のいずれかに記載の携帯端末の音声認識機能制御方法。
【請求項６】
少なくともマイクを有する外部機器と、前記外部機器との間で音声認識開始要求を含む無線通信を行う、少なくとも２つの開閉可能な筐体を有する携帯端末とを備えた無線通信システムにおいて、
前記外部機器からの前記音声認識開始要求に応じて、前記携帯端末にて音声認識機能を起動させる音声認識機能起動手段と、
前記携帯端末にて前記２つの筐体の開閉状態を検出する開閉状態検出手段と、
前記開閉状態検出手段での検出結果に応じて、前記携帯端末にて既に前記音声認識機能起動手段により起動されている前記音声認識機能を用いて前記外部機器からの音声信号により、前記携帯端末にて所定の複数の機能から少なくとも１つの機能を選択する機能選択手段と、
を備えた無線通信システム。
【請求項７】
前記機能選択手段は、前記開閉状態検出手段により前記２つの筐体の閉状態が検出された場合には、前記２つの筐体の開状態が検出された場合より前記携帯端末にて選択する機能の数を少なくする請求項６に記載の無線通信システム。
【請求項８】
前記機能選択手段において、前記所定の複数の機能は、「ボイスダイヤル」、「ボイス検索」及び「ボイス設定」を含んでいる請求項６又は請求項７に記載の無線通信システム。
【請求項９】
前記外部機器と前記携帯端末との間で行われる無線通信は、ブルートゥース又はＷＬＡＮによる無線通信である請求項６乃至請求項８のいずれかに記載の無線通信システム。
【請求項１０】
前記外部機器は、前記マイクの他にスピーカを有するヘッドセットである請求項６乃至請求項９のいずれかに記載の無線通信システム。
【請求項１１】
少なくともマイクを有する外部機器と、前記外部機器との間で音声認識開始要求を含む無線通信を行う、少なくとも２つの開閉可能な筐体を有する携帯端末において、
前記外部機器からの前記音声認識開始要求に応じて、音声認識機能を起動させる音声認識機能起動手段と、
前記２つの筐体の開閉状態を検出する開閉状態検出手段と、
前記開閉状態検出手段での検出結果に応じて、既に前記音声認識機能起動手段により起動されている前記音声認識機能を用いて前記外部機器からの音声信号により、所定の複数の機能から少なくとも１つの機能を選択する機能選択手段と、
を備えた携帯端末。
【請求項１２】
既に前記音声認識機能起動手段により起動されている前記音声認識機能を、前記機能選択手段により選択された前記少なくとも１つの機能を達成するためのデータが保存されているデータ保存手段を用いて、前記外部機器からの音声信号に応じて制御する音声認識機能制御手段を備えた請求項１１に記載の携帯端末。
【請求項１３】
前記機能選択手段は、前記開閉状態検出手段により前記２つの筐体の閉状態が検出された場合には、前記２つの筐体の開状態が検出された場合より前記携帯端末にて選択する機能の数を少なくする請求項１１又は請求項１２に記載の携帯端末。
【請求項１４】
前記機能選択手段において、前記所定の複数の機能は、「ボイスダイヤル」、「ボイス検索」又は「ボイス設定」を含んでいる請求項１１乃至請求項１３のいずれかに記載の携帯端末。
【請求項１５】
前記機能選択手段において、前記所定の複数の機能は、「ボイスダイヤル」、「ボイス検索」、「ボイス設定」及び「カメラ操作」を含んでいる請求項１１乃至請求項１３のいずれかに記載の携帯端末。
【請求項１６】
前記外部機器との間で行われる無線通信は、ブルートゥース又はＷＬＡＮによる無線通信である請求項１１乃至請求項１５のいずれかに記載の携帯端末。
【請求項１７】
前記外部機器は、前記マイクの他にスピーカを有するヘッドセットである請求項１１乃至請求項１６のいずれかに記載の携帯端末。
【手続補正２】
【補正対象書類名】明細書
【補正対象項目名】全文
【補正方法】変更
【補正の内容】
【発明の詳細な説明】
【技術分野】
【０００１】
本発明は、携帯端末を音声認識で制御する携帯端末の音声認識機能制御方法及び音声認識機能を有する携帯端末を備える無線通信システムに関する。
【背景技術】
【０００２】
従来、音声認識機能を備えた携帯端末が提案されている。特許文献１では、折り畳み型やフリップ型（キー操作部を覆う開閉カバーを設けたタイプ）の携帯端末において、折り畳んだ状態や開閉カバーを閉じた状態（以下、「筐体を閉じた」と呼ぶ）から、発信時において開いた（以下、「筐体を開いた」と呼ぶ）際に自動的に音声認識機能を起動し、且つ発信にかかる音声データを音声認識して、音声認識が正常に行えた場合にダイヤル発信禁止を解除するとともに、特定の電話番号に対して自動発信する技術が開示されている。
【０００３】
また、ヘッドセットにてハンズフリー通話を可能とした携帯端末において、「ボイスダイヤル自動発信＝オン」及び「ヘッドセット発信＝オン」の設定後、ヘッドセットを携帯端末に有線接続することで、ヘッドセットからの音声データを音声認識して自動発信する携帯端末も提案されている。
【０００４】
【特許文献１】特開２０００−２４４６２５号公報
【発明の開示】
【発明が解決しようとする課題】
【０００５】
しかしながら、上述した従来の音声認識機能を備えた携帯端末においては、以下に述べるような問題がある。
【０００６】
（１）  折り畳み型にしてもフリップ型にしても、筐体を開かないと音声認識機能が起動しないので、ヘッドセットを用いる場合に、携帯端末を鞄や衣服のポケットに収容したままでは使用することができない。
【０００７】
（２）  ヘッドセットと携帯端末を有線で接続することから、携帯端末を衣服のポケットに収容して使用する場合は我慢できるものの、鞄等の人体から離れた物に収容する場合はケーブルが邪魔になって使用し難い。
【０００８】
（３）  音声を誤認識した場合、携帯端末側でキーパッドによる補助操作（すなわち手動によるキーパッド操作）が必要となる。例えば、「ボイスダイヤル」とマイクに向かって話した後、「ボイス検索」又は「ボイス設定」が抽出された場合、キーパッドによる補助操作が必要となる。また、自分の望まない人物が検索された場合には、それをキャンセルするためにキーパッドによる補助操作が必要となる。また、該当するものが１つも無かった場合など認識に失敗した場合にも、キーパッドによる補助操作が必要となる。なお、認識に失敗した場合、ＰＯＰＵＰ（ポップアップ）画面が表示されるものがあり、その画面のメッセージに従ってキーパッドによる補助操作を行うことになる。
【０００９】
本発明は、係る事情に鑑みてなされたものであり、携帯端末の筐体を閉じた状態でも使用することができ、また携帯端末を鞄等の人体から離れた物に収容しても快適に使用することができ、さらに携帯端末の筐体を閉じた状態での使用時における音声の誤認識を少なくすることができる携帯端末の音声認識機能制御方法及び無線通信システムを提供することを目的とする。
【課題を解決するための手段】
【００１０】
上記目的は下記方法及び構成により達成される。
本発明の携帯端末の音声認識機能制御方法は、少なくともマイクを有する外部機器と、前記外部機器との間で音声認識開始要求を含む無線通信を行う、少なくとも２つの開閉可能な筐体を有する携帯端末とを備えた無線通信システムにおける携帯端末の音声認識機能制御方法において、前記外部機器からの前記音声認識開始要求に応じて、前記携帯端末にて音声認識機能を起動させる音声認識機能起動工程と、前記携帯端末にて前記２つの筐体の開閉状態を検出する開閉状態検出工程と、前記開閉状態検出工程での検出結果に応じて、前記携帯端末にて既に前記音声認識機能起動工程で起動されている前記音声認識機能を用いて前記外部機器からの音声信号により、前記携帯端末にて所定の複数の機能から少なくとも１つの機能を選択する機能選択工程と、を備える。
【００１１】
上記方法によれば、外部機器と携帯端末との間の通信を無線で行い、外部機器からの音声認識開始要求に応じて携帯端末の音声認識機能を起動させ、筐体の開閉状態に応じて携帯端末が持つ複数の機能うち、少なくとも１つの機能を選択するので、携帯端末の筐体が閉状態であっても使用することが可能となる。また、無線にすることでヘッドセットと携帯電話との間の配線が不要となり、携帯端末を鞄等の人体から離れた物に収容してもケーブルが邪魔をすることがなく、快適に使用することができる。
【００１２】
本発明の携帯端末の音声認識機能制御方法は、前記機能選択工程が、前記開閉状態検出工程で前記２つの筐体の閉状態が検出された場合には、前記２つの筐体の開状態が検出された場合より前記携帯端末にて選択する機能の数を少なくする。
【００１３】
上記方法によれば、筐体を閉状態にしたときに選択できる機能数を、開状態にしたときに選択できる機能数よりも少なくするので、音声の誤認識が少なくなる。すなわち、筐体が閉状態にあるときに選択可能な機能数を必要最低限とすることで、音声を誤認識する確率を下げることができる。例えば、「ボイスダイヤル」、「ボイス検索」、「ボイス設定」及び「カメラ操作」といった機能のうち、筐体が閉状態にあるときには「ボイスダイヤル」のみしか利用できないようにする。
【００１４】
本発明の携帯端末の音声認識機能制御方法は、前記機能選択工程において、前記所定の複数の機能は、「ボイスダイヤル」、「ボイス検索」及び「ボイス設定」を含んでいる。
【００１５】
上記方法によれば、外部機器側で音声入力することにより、「ボイスダイヤル」、「ボイス検索」及び「ボイス設定」といった機能から少なくとも１つの機能を選択することができる。
【００１６】
本発明の携帯端末の音声認識機能制御方法は、前記外部機器と前記携帯端末との間で行われる無線通信は、ブルートゥース又はＷＬＡＮ（Wireless LAN）による無線通信である。
【００１７】
上記方法によれば、ブルートゥース又はＷＬＡＮによる無線通信を用いるので、外部機器と携帯端末とを有線で接続することなく、それらの間の通信を容易に行うことができる。
【００１８】
本発明の携帯端末の音声認識機能制御方法は、前記外部機器は、前記マイクの他にスピーカを有するヘッドセットである。
【００１９】
上記方法によれば、外部機器として、マイクとスピーカが一体となった音声入出力装置であるヘッドセットを用いるので、両手を使うことなく通話を行うことができる。すなわち、ハンズフリー通話が可能となる。
【００２０】
本発明の無線通信システムは、少なくともマイクを有する外部機器と、前記外部機器との間で音声認識開始要求を含む無線通信を行う、少なくとも２つの開閉可能な筐体を有する携帯端末とを備えた無線通信システムにおいて、前記外部機器からの前記音声認識開始要求に応じて、前記携帯端末にて音声認識機能を起動させる音声認識機能起動手段と、前記携帯端末にて前記２つの筐体の開閉状態を検出する開閉状態検出手段と、前記開閉状態検出手段での検出結果に応じて、前記携帯端末にて既に前記音声認識機能起動手段により起動されている前記音声認識機能を用いて前記外部機器からの音声信号により、前記携帯端末にて所定の複数の機能から少なくとも１つの機能を選択する機能選択手段と、を備える。
【００２１】
上記構成によれば、外部機器と携帯端末との間の通信を無線で行い、外部機器からの音声認識開始要求に応じて携帯端末の音声認識機能を起動させ、筐体の開閉状態に応じて携帯端末が持つ複数の機能うち、少なくとも１つの機能を選択するので、携帯端末の筐体が閉状態であっても使用することが可能となる。また、無線にすることでヘッドセットと携帯電話との間の配線が不要となり、携帯端末を鞄等の人体から離れた物に収容してもケーブルが邪魔をすることがなく、快適に使用することができる。
【００２２】
本発明の無線通信システムは、前記機能選択手段が、前記開閉状態検出手段により前記２つの筐体の閉状態が検出された場合には、前記２つの筐体の開状態が検出された場合より前記携帯端末にて選択する機能の数を少なくする。
【００２３】
上記構成によれば、携帯端末の筐体を閉状態にしたときに選択できる機能数を、開状態にしたときに選択できる機能数よりも少なくするので、音声の誤認識が少なくなる。すなわち、筐体が閉状態にあるときに選択可能な機能数を必要最低限とすることで、音声を誤認識する確率を下げることができる。例えば、「ボイスダイヤル」、「ボイス検索」、「ボイス設定」及び「カメラ操作」といった機能のうち筐体が閉状態にあるときには「ボイスダイヤル」のみしか利用できないようにする。
【００２４】
本発明の無線通信システムは、前記機能選択手段において、前記所定の複数の機能は、「ボイスダイヤル」、「ボイス検索」及び「ボイス設定」を含んでいる。
【００２５】
上記構成によれば、外部機器側で音声入力することにより、「ボイスダイヤル」、「ボイス検索」及び「ボイス設定」といった機能から少なくとも１つの機能を選択することができる。
【００２６】
本発明の無線通信システムは、前記外部機器と前記携帯端末との間で行われる無線通信が、ブルートゥース又はＷＬＡＮによる無線通信である。
【００２７】
上記構成によれば、ブルートゥース又はＷＬＡＮによる無線通信を用いるので、外部機器と携帯端末とを有線で接続することなく、それらの間の通信を容易に行うことができる。
【００２８】
本発明の無線通信システムは、前記外部機器は、前記マイクの他にスピーカを有するヘッドセットである。
【００２９】
上記構成によれば、外部機器として、マイクとスピーカが一体となった音声入出力装置であるヘッドセットを用いるので、両手を使うことなく通話を行うことができる。すなわち、ハンズフリー通話が可能となる。
【００３０】
本発明の携帯端末は、少なくともマイクを有する外部機器と、前記外部機器との間で音声認識開始要求を含む無線通信を行う、少なくとも２つの開閉可能な筐体を有する携帯端末において、前記外部機器からの前記音声認識開始要求に応じて、音声認識機能を起動させる音声認識機能起動手段と、前記２つの筐体の開閉状態を検出する開閉状態検出手段と、前記開閉状態検出手段での検出結果に応じて、既に前記音声認識機能起動手段により起動されている前記音声認識機能を用いて前記外部機器からの音声信号により、所定の複数の機能から少なくとも１つの機能を選択する機能選択手段と、を備える。
【００３１】
上記構成によれば、携帯端末は、外部機器との間の通信を無線で行い、外部機器から音声認識開始要求があると、その要求に応じて音声認識機能を起動させる。そして、筐体の開閉状態を検出して、その検出結果に応じて自装置が持つ複数の機能うち、少なくとも１つの機能を選択するので、筐体が閉状態であっても使用することが可能となる。また、無線にすることでヘッドセットとの間の配線が不要となり、鞄等の人体から離れた物に収容してもケーブルが邪魔をすることがなく、快適に使用することができる。
【００３２】
本発明の携帯端末は、さらに既に前記音声認識機能起動手段により起動されている前記音声認識機能を、前記機能選択手段により選択された前記少なくとも１つの機能を達成するためのデータが保存されているデータ保存手段を用いて、前記外部機器からの音声信号に応じて制御する音声認識機能制御手段を備える。
【００３３】
上記構成によれば、携帯端末は、外部機器との間の通信を無線で行い、外部機器から音声認識開始要求があると、その要求に応じて音声認識機能を起動させる。そして、筐体の開閉状態を検出して、その検出結果に応じて自装置が持つ複数の機能うち、少なくとも１つの機能を選択し、さらに、選択した少なくとも１つの機能を達成するためのデータが保存されている辞書を用いて、起動状態にある音声認識機能を制御するので、筐体が閉状態であっても使用することが可能となる。また、無線にすることでヘッドセットとの間の配線が不要となり、鞄等の人体から離れた物に収容してもケーブルが邪魔をすることがなく、快適に使用することができる。
【００３４】
本発明の携帯端末は、前記機能選択手段が、前記開閉状態検出手段により前記２つの筐体の閉状態が検出された場合には、前記２つの筐体の開状態が検出された場合より選択する機能の数を少なくする。
【００３５】
上記構成によれば、筐体を閉状態にしたときに選択できる機能数を、開状態にしたときに選択できる機能数よりも少なくするので、音声の誤認識が少なくなる。すなわち、筐体が閉状態にあるときに選択可能な機能数を必要最低限とすることで、音声を誤認識する確率を下げることができる。例えば、「ボイスダイヤル」、「ボイス検索」、「ボイス設定」及び「カメラ操作」といった機能のうち、筐体が閉状態にあるときには「ボイスダイヤル」のみしか利用できないようにする。
【００３６】
本発明の携帯端末は、前記機能選択手段において、前記所定の複数の機能は、「ボイスダイヤル」、「ボイス検索」及び「ボイス設定」を含んでいる。
【００３７】
上記構成によれば、外部機器側で音声入力することにより、「ボイスダイヤル」、「ボイス検索」及び「ボイス設定」といった機能から少なくとも１つの機能を選択することができる。
【００３８】
本発明の携帯端末は、前記機能選択手段において、前記所定の複数の機能は、「ボイスダイヤル」、「ボイス検索」、「ボイス設定」及び「カメラ操作」を含んでいる。
【００３９】
上記構成によれば、外部機器側で音声入力することにより、「ボイスダイヤル」、「ボイス検索」、「ボイス設定」及び「カメラ操作」といった機能から少なくとも１つの機能を選択することができる。
【００４０】
本発明の携帯端末は、前記外部機器との間で行われる無線通信は、ブルートゥース又はＷＬＡＮによる無線通信である。
【００４１】
上記構成によれば、ブルートゥース又はＷＬＡＮによる無線通信を用いるので、外部機器との間を有線で接続することなく、それらの間の通信を容易に行うことができる。
【００４２】
本発明の携帯端末は、前記外部機器は、前記マイクの他にスピーカを有するヘッドセットである。
【００４３】
上記構成によれば、外部機器として、マイクとスピーカが一体となった音声入出力装置であるヘッドセットを用いるので、両手を使うことなく通話を行うことができる。すなわち、ハンズフリー通話が可能となる。
【発明の効果】
【００４４】
本発明の携帯端末の音声認識機能制御方法及び無線通信システムは、携帯端末の筐体を閉じた状態でも使用することができ、また携帯端末を鞄等の人体から離れた物に収容しても快適に使用することができ、さらに携帯端末の筐体を閉じた状態での使用時における音声の誤認識を少なくすることができる。
【発明を実施するための最良の形態】
【００４５】
以下、本発明を実施するための好適な実施の形態について、図面を参照して詳細に説明する。
【００４６】
図１は、本発明の一実施の形態に係る無線通信システムの概略構成を示すブロック図である。図１において、本実施の形態の無線通信システム１は、携帯電話１０と、携帯電話１０との間で無線通信を行う外部機器であるヘッドセット２０とを備えている。携帯電話１０は、２つの開閉可能な筐体を有する折り畳み型の携帯端末である。なお、携帯端末には、携帯電話の他に、ＰＨＳ（Personal Handy-Phone System）、無線通信機能を搭載したＰＤＡ（Personal Digital Assistants）やモバイルノートパソコンなどがあるが、本実施の形態では携帯電話を例に挙げている。
【００４７】
携帯電話１０は、移動体通信網の基地局３０を介して他の携帯電話（図示略）と無線通信を行うセルラー無線通信送受信部１０１と、セルラー無線通信送受信部１０１に接続されたアンテナ１０２と、ヘッドセット２０との間でブルートゥースによる無線通信を行うブルートゥース無線送受信部１０３と、ブルートゥース無線送受信部１０３に接続されたアンテナ１０４と、携帯電話１０の筐体の開閉を検出する筐体開閉検出部１０５と、ブルートゥース無線送受信部１０３にて受信されたヘッドセット２０からの音声信号を音声認識する音声認識部１０６と、音声認識部１０６で用いられるデータが保存されている辞書（１）１０７及び辞書（２）１０８と、セルラー無線通信送受信部１０１による広域通信時に通信相手の他の携帯電話（図示略）からの音声を出力するためのスピーカ１０９と、携帯電話１０の動作における各種表示を行うための表示部１１０と、ダイヤル入力等を行うためのダイヤルボタン（キーパッド）１１１と、発信を開始するための開始ボタン（オフフックキー）１１２と、セルラー無線通信送受信部１０１による広域通信時に携帯電話１０のユーザの音声を入力するためのマイク１１３と、被写体を撮像するためのカメラ１１４と、携帯電話１０の各部を制御する携帯電話制御部１１５とを備えている。
【００４８】
本実施の形態の携帯電話１０は、一般的な携帯電話と同様の手動によるダイヤル入力の他に、電話帳設定機能の「ボイスダイヤル設定」にてボイスダイヤル登録名（電話帳に登録しているデータのうち、ボイスダイヤル呼出しの対象として設定されたもの）へ設定したデータの読み出しを行う機能（ボイスダイヤル）と、携帯電話１０が備える複数の機能のうち、探したい機能を検索する機能（ボイス検索）と、ボイスダイヤル関連の設定を行う機能（ボイス設定）と、カメラ操作を可能とする機能（カメラ操作）とを備えている。
【００４９】
「ボイスダイヤル」機能は、「ボイスダイヤル登録→ボイスダイヤル」でユーザが手動で呼び出す機能と同等である。後に詳述する携帯電話１０の音声認識部１０６の起動後、ユーザがヘッドセット２０のマイク２０５に向かって「ボイスダイヤル」と発声することで、携帯電話１０は「ボイスダイヤル」機能に遷移する。「ボイス検索」機能は、「メニュー→ステーショナリー→使い方案内→ボイス検索」でユーザが手動で呼び出す機能と同等である。なお、探したい機能として、「カメラ機能」、「時計機能」等がある。上述同様、音声認識部１０６の起動後、ユーザがヘッドセット２０のマイク２０５に向かって「ボイス検索」と発声することで、携帯電話１０は「ボイス検索」機能に遷移する。
【００５０】
「ボイス設定」機能は、「メニュー→設定→その他→ボイス設定」でユーザが手動で呼び出した機能と同等である。なお、設定する機能として、「ボイスダイヤル自動発信」、「音声自動発信」等がある。上述同様、音声認識部１０６の起動後、ユーザがヘッドセット２０のマイク２０５に向かって「ボイス設定」と発声することで、携帯電話１０は「ボイス設定」機能に遷移する。「カメラ操作」機能は、「メニュー→ステーショナリー→カメラ操作」でユーザが手動で呼び出した機能と同等である。上述同様、音声認識部１０６の起動後、ユーザがヘッドセット２０のマイク２０５に向かって「カメラ操作」と発声することで、携帯電話１０は「カメラ操作」機能に遷移する。
【００５１】
辞書（１）１０７及び辞書（２）１０８は、それぞれフラッシュメモリ等の不揮発性メモリから構成される。図２は辞書（１）１０７に保存されたデータの一例を示す図であり、携帯電話１０の電話帳からボイスダイヤル登録した人の「名前」と「電話番号」のデータで構成される。名前のデータには、「読み」（例えば、「マツシタタロウ」、「ジョンウェイン」等）と「表示文字」（例えば、「松下太郎」、「Ｊｏｈｎ  Ｗａｙｎｅ」等）の両方のデータが含まれる。図３は辞書（２）１０８に保存されたデータの一例を示す図であり、辞書（１）１０７と同様のデータの他に、「ボイス検索」、「ボイス設定」及び「カメラ操作」の各データとそれぞれに対応する「使い方案内」、「音声認識の設定」及び「カメラ操作」の各データで構成される。「ボイス検索」、「ボイス設定」及び「カメラ操作」は、それぞれ「読み」と「表示文字」の両方が含まれる。
【００５２】
辞書（１）１０７は携帯電話１０の筐体が閉状態のときに選択され、辞書（２）１０８は携帯電話１０の筐体が開状態のときに選択される。すなわち、携帯電話１０の筐体が開状態のときには「ボイスダイヤル」、「ボイス検索」、「ボイス設定」、「カメラ操作」の全ての機能が有効になるが、携帯電話１０の筐体が閉状態のときには「ボイスダイヤル」の機能のみが有効になる。
【００５３】
筐体開閉検出部１０５は、携帯電話１０の筐体の開閉状態を検出するが、その検出は機構的に行っても良いし電気的に行っても良い。メカ的な検出としては、例えば押しボタンスイッチを用いる方法がある。この場合、２つの筐体の一方に押しボタンスイッチ本体を固定し、２つの筐体の他方に押しボタンスイッチの可動部が当たるようにする。これにより、筐体を閉じると、押しボタンスイッチの可動部が本体側に押し込まれてオン（又はオフ）となり、筐体を開けると、押しボタンスイッチの可動部が開放されてオフ（又はオン）となる。一方、電気的な検出としては、例えば発光素子と受光素子を備えたフォトセンサを用いる方法がある。この場合、筐体の開閉に応じて、発光素子と受光素子との間を遮るように構成する。これにより、筐体を閉じると、受光素子の出力がＨ（又はＬ）となり、筐体を開けると、受光素子の出力がＬ（又はＨ）となる。
【００５４】
携帯端末制御部１１５は、ブルートゥース無線送受信部１０３を介してヘッドセット２０からの音声認識開始要求を受け取ることで音声認識部１０６を起動させる。ここで、本実施の形態では、携帯電話１０とヘッドセット２０との間の通信にＨＦＰ（Hands Free Profile）を用いている。このＨＦＰは車内やヘッドセットでハンズフリー通話を実現するためのプロファイルである。このＨＦＰを携帯電話１０とヘッドセット２０の双方が有する。なお、周知のようにブルートゥースは２．４ＧＨｚの周波数帯を用いて、半径１０〜１００ｍ程度の範囲内で、ブルートゥース搭載機器間で最大３Ｍｂｐｓで無線通信を行うものである。
【００５５】
ヘッドセット２０からは、携帯電話１０に対して、音声認識開始要求時にＨＦＰのＡＴ＋ＢＶＲＡ＝“１”のコマンドが送信される。ここで、ＡＴ＋ＢＶＲＡコマンドは、“Enables or Disables voice recognition in the AG(Audio Gateway)”を意味するコマンドである。つまり、ＡＧにおいて、音声認識を可とするか、不可とするかを指示するコマンドである。なお、音声認識をオフ（キャンセル）する場合には、ヘッドセット２０から携帯電話１０に対して、ＡＴ＋ＢＶＲＡ＝“０”のコマンドが送信される。
【００５６】
携帯電話制御部１１５は、ブルートゥース無線送受信部１０３を介して、ヘッドセット２０から送信されたＡＴ＋ＢＶＲＡ＝“１”のコマンドを受信すると音声認識部１０６を起動させる。音声認識部１０６を起動させた後は、２つの筐体の開閉状態を検出する筐体開閉検出部１０５の検出結果に応じて、音声認識部１０６の音声認識機能を用いてヘッドセット２０からの音声信号により、「ボイスダイヤル」、「ボイス検索」、「ボイス設定」、「カメラ操作」の４つの機能から１つの機能を選択する。この場合、筐体が開状態にあれば、携帯電話制御部１１５は、「ボイスダイヤル」、「ボイス検索」、「ボイス設定」、「カメラ操作」の４つの機能のうち、ヘッドセット２０から音声入力された機能を選択する。すなわち、「ボイスダイヤル」機能を指定する音声信号が入力されると、「ボイスダイヤル」機能を選択し、「ボイス検索」機能を指定する音声信号が入力されると、「ボイス検索」機能を選択し、「ボイス設定」機能を指定する音声信号が入力されると、「ボイス設定」機能を選択し、「カメラ操作」機能を指定する音声信号が入力されると、「カメラ操作」機能を選択する。一方、筐体が閉状態にあれば、携帯電話制御部１１５は、「ボイスダイヤル」機能のみを選択するので、「ボイスダイヤル」機能を指定する音声信号が入力された場合にのみ「ボイスダイヤル」機能を選択する。
【００５７】
また、携帯電話制御部１１５は、筐体開閉検出部１０５の検出結果として筐体が閉状態にあれば、音声認識部１０６に対して辞書（１）１０７を使用するように指示し、筐体が開状態にあれば、音声認識部１０６に対して辞書（２）１０８を使用するように指示する。携帯電話制御部１１５は、辞書（１）１０７又は辞書（２）１０８を用いて、音声認識部１０６を制御する。すなわち、筐体開閉検出部１０５の検出結果として筐体が開状態であれば、自装置が持つ「ボイスダイヤル」、「ボイス検索」、「ボイス設定」、「カメラ操作」の４つの機能のうち、ヘッドセット２０で呼び出された機能を選択し、さらに選択した機能を達成するためのデータが保存されている辞書（２）１０８を用いて音声認識部１０６を制御し、一方、筐体が閉状態であれば、自装置が持つ「ボイスダイヤル」機能を選択し、さらに「ボイスダイヤル」の機能を達成するためのデータが保存されている辞書（１）１０７を用いて音声認識部１０６を制御する。
【００５８】
ヘッドセット２０は、携帯電話１０との間でブルートゥースによる無線通信を行うブルートゥース無線送受信部２０１と、ブルートゥース無線送受信部２０１に接続されたアンテナ２０２と、ブルートゥースによる無線通信によって携帯電話１０から送信されてきた音声信号を出力するためのスピーカ２０３と、携帯電話１０の音声認識機能を起動及びキャンセルするための入力ボタン２０４と、ユーザの音声を入力するためのマイク２０５と、ヘッドセット２０の各部を制御するヘッドセット制御部２０６とを備えている。
【００５９】
ヘッドセット制御部２０６は、入力ボタン２０４が押下されたことを検出すると、ブルートゥース無線送受信部２０１を介して携帯電話１０に音声認識開始要求を送信する。この場合、上述したように、ＨＦＰのＡＴ＋ＢＶＲＡ＝“１”のコマンドを送信する。また、ヘッドセット制御部２０６は、入力ボタン２０４がさらに押下されたことを検出すると、ブルートゥース無線送受信部２０１を介して携帯電話１０に音声認識終了要求を送信する。この場合、上述したように、ＨＦＰのＡＴ＋ＢＶＲＡ＝“０”のコマンドを送信する。
【００６０】
次に、図４に示すフロー図を参照して、本実施の形態の無線通信システム１の動作について説明する。図４において、ヘッドセット２０において、ユーザが入力ボタン２０４を押下すると、ヘッドセット制御部２０６が、それを検出してＡＴ＋ＢＶＲＡ＝“１”のコマンドをブルートゥース無線送受信部２０１から携帯電話１０に送信する（ステップＳＴ１）。次いで、ヘッドセット２０で音声入力があると、音声データをブルートゥース無線送受信部２０１から携帯電話１０に送信する（ステップＳＴ２）。
【００６１】
携帯電話１０において、ヘッドセット２０から送信されたＡＴ＋ＢＶＲＡ＝“１”のコマンドをブルートゥース無線送受信部１０３が受信することで、携帯電話制御部１１５はヘッドセット２０との間でＨＦＰによる無線リンクを確立する処理を行う。ヘッドセット２０との間でＨＦＰによる無線リンクが確立した後、携帯電話制御部１１５は、筐体開閉検出部１０５の検出結果として携帯電話１０の筐体の開閉状態を検出し（ステップＳＴ３）、携帯電話１０の筐体状態が開か閉かを判定し（ステップＳＴ４）、開であれば、辞書（２）１０８を用いて、「ボイスダイヤル」、「ボイス検索」、「ボイス設定」及び「カメラ操作」の４つの機能のうち、ヘッドセット２０から音声入力で指定されたものを選択し、選択した機能について音声認識を行う（ステップＳＴ５）。そして、音声認識に対応するガイド（案内）メッセージを表示部１１０に表示する（ステップＳＴ６）。一方、携帯電話１０の筐体状態が閉であれば、辞書（１）１０７を用いて、ヘッドセット２０からの音声入力により「ボイスダイヤル」機能を選択し、選択した「ボイスダイヤル」機能について音声認識を行う（ステップＳＴ７）。このとき、音声ガイダンスのデータは、携帯電話１０の筐体状態が開であっても閉であっても、携帯電話１０からヘッドセット２０に送信され、ヘッドセット２０のスピーカ２０３から音声出力される（ステップＳＴ８）。
【００６２】
例えば、「ボイスダイヤル」機能が選択された場合、ユーザがヘッドセット２０のマイク２０５に向って「マツシタタロウ」と発声すると、携帯電話１０の音声認識部１０６で音声認識されて、筐体状態に応じて辞書（２）１０８又は辞書（１）１０７に保存されている読み「マツシタタロウ」に対応する表示文字「松下太郎」のデータが読み出されて、筐体状態が開であれば、それが表示部１１０に表示される。そして、「ボイスダイヤル」機能により、「松下太郎」の電話番号（０９０−ｘｘｘｘｘｘｘｘ）に対する自動発信が行われる。このときの「電話番号」は音声ガイダンスとしてヘッドセット２０に送信され、ヘッドセット２０のスピーカ２０３から音声出力される。
【００６３】
また、筐体状態が開において、ユーザがヘッドセット２０のマイク２０５に向って「ボイスケンサク」と発声すると、携帯電話１０の音声認識部１０６で音声認識されて、辞書（２）１０８に保存されている読み「ボイスケンサク」に対応する表示文字「使い方案内」のデータが読み出されて、それが表示部１１０に表示される。そして、「ボイス検索」機能により、ユーザが探したい機能を検索する処理を行う。探したい機能としては、上述したようにカメラ、時計等がある。このときの「使い方案内」は音声ガイダンスとしてヘッドセット２０に送信され、ヘッドセット２０のスピーカ２０３から音声出力される。
【００６４】
また、筐体状態が開において、ユーザがヘッドセット２０のマイク２０５に向って「ボイスセッテイ」と発声すると、携帯電話１０の音声認識部１０６で音声認識されて、辞書（２）１０８に保存されている読み「ボイスセッテイ」に対応する表示文字「音声認識の設定」のデータが読み出されて、それが表示部１１０に表示される。そして、「ボイス設定」機能により、ボイスダイヤル関連の設定を行う。ボイスダイヤル関連の設定には、上述したようにボイスダイヤル自動発信、音声自動発信がある。このときの「音声認識の設定」は音声ガイダンスとしてヘッドセット２０に送信され、ヘッドセット２０のスピーカ２０３から音声出力される。
【００６５】
また、筐体状態が開において、ユーザがヘッドセット２０のマイク２０５に向って「カメラソウサ」と発声すると、携帯電話１０の音声認識部１０６で音声認識されて、辞書（２）１０８に保存されている読み「カメラソウサ」に対応する表示文字「カメラ操作」のデータが読み出されて、それが表示部１１０に表示される。そして、「カメラ操作」機能により、カメラ操作を行う。このときの「カメラ操作」は音声ガイダンスとしてヘッドセット２０に送信され、ヘッドセット２０のスピーカ２０３から音声出力される。
【００６６】
その後、携帯電話１０の筐体状態が閉である場合は、携帯電話１０とヘッドセット２０との間でＨＦＰによる音声通話のみが行われる。すなわち、筐体状態が閉である場合は、「ボイスダイヤル」機能のみであるので、自動発信して繋がった通信相手の携帯電話（固定電話も含まれる）からの音声が携帯電話１０からヘッドセット２０に送信され、また携帯電話１０のユーザがヘッドセット２０のマイク２０５に向かって話した音声がヘッドセット２０から携帯電話１０に送信される。一方、携帯電話１０の筐体状態が開である場合は、携帯電話１０とヘッドセット２０との間でＨＦＰによる音声通話以外に他の通信も行われる。
【００６７】
このように本実施の形態の無線通信システム１によれば、携帯電話１０が、ヘッドセット２０との間の通信を無線で行い、ヘッドセット２０から音声認識開始要求があると、その要求に応じて音声認識部１０６を起動させる。そして、筐体の開閉状態を検出して筐体が開状態であれば、自装置が持つ「ボイスダイヤル」、「ボイス検索」、「ボイス設定」、「カメラ操作」の４つの機能うち、ヘッドセット２０側で指定された機能を選択し、さらに選択した機能を達成するためのデータが保存されている辞書（２）１０８を用いて音声認識部１０６を制御し、一方、筐体が閉状態であれば、自装置が持つ「ボイスダイヤル」機能を選択し、さらに「ボイスダイヤル」機能を達成するためのデータが保存されている辞書（１）１０７を用いて音声認識部１０６を制御する。これにより、携帯電話１０の筐体が閉状態であっても使用することが可能となる。また、携帯電話１０とヘッドセット２０との間の接続にブルートゥースによる無線通信を用いることで、携帯電話１０とヘッドセット２０との間に配線が不要となり、携帯電話１０を鞄等の人体から離れた物に収容してもケーブルが邪魔をすることがなく、快適に使用することができる。
【００６８】
また、携帯電話１０の筐体を閉状態にしたときに選択できる機能を、例えば「ボイスダイヤル」のみとして、開状態にしたときに選択できる機能（例えば、「ボイスダイヤル」、「ボイス検索」、「ボイス設定」、「カメラ操作」）よりも少なくしたので、閉状態時に音声の誤認識が少なくなる。すなわち、筐体が閉状態にあるときに選択可能な機能数を必要最低限としたことで、音声を誤認識する確率を下げることができる。
【００６９】
また、スピーカ２０３とマイク２０５が一体となったヘッドセット２０を用いたので、両手を使うことなく通話を行うことができる。すなわち、ハンズフリー通話が可能となる。
【００７０】
なお、本実施の形態では、２つの辞書（１）１０７、辞書（２）１０８を用いたが、１つにまとめることも可能である。図５は辞書（１）１０７の内容と辞書（２）１０８の内容を１つにまとめた辞書１２０に保存されたデータの一例を示す図である。この辞書１２０では、辞書（１）１０７の内容と辞書（２）１０８の内容をフラグビットＦＬＡＧで識別できるようにしている。すなわち、携帯電話１０の筐体が閉状態にあるときには、フラグビット「１１」で指定されるデータのみを扱い、携帯電話１０の筐体が開状態にあるときには、フラグビット「１１」と「１０」の双方で指定されるデータを扱う。２つの辞書（１）１０７、辞書（２）１０８を１つにまとめることで、コストの削減及び携帯電話１０の小型化が図れる。
【００７１】
また、本実施の形態では、ヘッドセット２０の入力ボタン２０４を音声認識開始要求と音声認識終了要求を行うためのものとしたが、音声の誤認識をキャンセルするためのものとして兼用させることも可能である。例えば入力ボタン２０４を１秒以上長押しすることで、キャンセル要求を出力する。このようにすることによって、携帯電話１０のユーザは、例えば自分の望まない人物を検索した場合に、キーパッド操作を行うことなく、ヘッドセット２０の入力ボタン２０４を押すだけでキャンセルすることができる。
【００７２】
また、本実施の形態では、携帯電話１０の筐体を閉じているときのポップアップ（ＰＯＰＵＰ）画面について説明しなかったが、携帯電話１０の筐体を閉じているときにはポップアップ画面を表示しないようにし、ポップアップの内容を音声ガイダンスとして、ヘッドセット２０にて聴けるようにすれば良い。
【００７３】
また、本実施の形態では、筐体が開状態であれば、「ボイスダイヤル」、「ボイス検索」、「ボイス設定」、「カメラ操作」の４つの機能から１つの機能を選択するものとしたが、「ボイスダイヤル」、「ボイス検索」、「ボイス設定」の３つの機能から１つの機能を選択するものとすること等も可能である。
【００７４】
また、本実施の形態では、外部機器と携帯端末との間で行われる無線通信としてブルートゥースを説明したが、ＷＬＡＮ等の他の無線通信とすることも可能である。
【００７５】
また、本実施の形態では、携帯電話１０は、２つの開閉可能な筐体を有する折り畳み型の携帯端末であるものとしたが、２つの筐体を互いにスライドさせることにより開閉させる携帯端末などのスライド型の携帯端末であっても良い。さらには、２つの筐体からなる開閉可能な型の携帯端末であれば他の型の携帯端末であっても良い。
【００７６】
本発明を詳細にまた特定の実施態様を参照して説明したが、本発明の精神と範囲を逸脱することなく様々な変更や修正を加えることができることは当業者にとって明らかである。
【産業上の利用可能性】
【００７７】
本発明は、携帯端末の筐体を閉じた状態でも使用することができ、また携帯端末を鞄等の人体から離れた物に収容しても快適に使用することができ、さらに携帯端末の筐体を閉じた状態での使用時における誤認識を少なくすることができるといった効果を有し、音声認識機能を有するとともに、ヘッドセット等の外部機器と無線で接続される携帯端末への適用が可能である。
【図面の簡単な説明】
【００７８】
【図１】本発明の一実施の形態に係る無線通信システムの概略構成を示すブロック図
【図２】図１の携帯電話の辞書（１）に保存されたデータの一例を示す図
【図３】図１の携帯電話の辞書（２）に保存されたデータの一例を示す図
【図４】図１の無線通信システムの動作を説明するためのフロー図
【図５】図１の携帯電話に用いる辞書の他の例を示す図
【符号の説明】
【００７９】
１  無線通信システム
１０  携帯電話
２０  ヘッドセット
３０  基地局
１０１  セルラー無線通信送受信部
１０２  アンテナ
１０３  ブルートゥース無線送受信部
１０４  アンテナ
１０５  筐体開閉検出部
１０６  音声認識部
１０７  辞書（１）
１０８  辞書（２）
１０９  スピーカ
１１０  表示部
１１１  ダイヤルボタン
１１２  開始ボタン
１１３  マイク
１１４  カメラ
１１５  携帯電話制御部
１２０  辞書
２０１  ブルートゥース無線送受信部
２０２  アンテナ
２０３  スピーカ
２０４  入力ボタン
２０５  マイク
２０６  ヘッドセット制御部
【手続補正３】
【補正対象書類名】図面
【補正対象項目名】全図
【補正方法】変更
【補正の内容】
【図１】
2008084556.tif 000008
【図２】
2008084556.tif 000009
【図３】
2008084556.tif 000010
【図４】
2008084556.tif 000011
【図５】
2008084556.tif 000012
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
少なくともマイクを有する外部機器と、前記外部機器との間で音声認識開始要求を含む無線通信を行う、少なくとも２つの開閉可能な筐体を有する携帯端末とを備えた無線通信システムにおける携帯端末の音声認識制御方法において、
辞書を用いて前記外部機器からの音声信号の音声認識を行う音声認識工程と、
前記外部機器からの前記音声認識開始要求に応じて、前記携帯端末にて前記音声認識工程を起動させる音声認識工程起動工程と、
前記携帯端末にて前記２つの筐体の開閉状態を検出する開閉状態検出工程と、
前記開閉状態検出工程での検出結果に応じた辞書を用いて、前記音声認識工程起動工程で起動された前記音声認識工程を用いて前記外部機器からの音声信号により、前記携帯端末にて所定の複数の機能から少なくとも１つの機能を選択する機能選択工程と、
を備えた携帯端末の音声認識制御方法。
【請求項２】
前記機能選択工程は、前記開閉状態検出工程で前記２つの筐体の閉状態が検出された場合には、前記２つの筐体の開状態が検出された場合より前記携帯端末にて選択する機能の数を少なくする請求項１に記載の携帯端末の音声認識制御方法。
【請求項３】
前記機能選択工程において、前記所定の複数の機能は、「ボイスダイヤル」、「ボイス検索」及び「ボイス設定」を含んでいる請求項１又は請求項２に記載の携帯端末の音声認識制御方法。
【請求項４】
前記外部機器と前記携帯端末との間で行われる無線通信は、ブルートゥース又はＷＬＡＮによる無線通信である請求項１乃至請求項３のいずれかに記載の携帯端末の音声認識制御方法。
【請求項５】
前記外部機器は、前記マイクの他にスピーカを有するヘッドセットである請求項１乃至請求項４のいずれかに記載の携帯端末の音声認識制御方法。
【請求項６】
少なくともマイクを有する外部機器と、前記外部機器との間で音声認識開始要求を含む無線通信を行う、少なくとも２つの開閉可能な筐体を有する携帯端末とを備えた無線通信システムにおいて、
辞書を用いて前記外部機器からの音声信号の音声認識を行う音声認識部と、
前記外部機器からの前記音声認識開始要求に応じて、前記携帯端末にて前記音声認識部を起動させる音声認識部起動手段と、
前記携帯端末にて前記２つの筐体の開閉状態を検出する開閉状態検出手段と、
前記開閉状態検出手段での検出結果に応じた辞書を用いて、前記音声認識部起動手段により起動された前記音声認識部を用いて前記外部機器からの音声信号により、前記携帯端末にて所定の複数の機能から少なくとも１つの機能を選択する機能選択手段と、
を備えた無線通信システム。
【請求項７】
前記機能選択手段は、前記開閉状態検出手段により前記２つの筐体の閉状態が検出された場合には、前記２つの筐体の開状態が検出された場合より前記携帯端末にて選択する機能の数を少なくする請求項６に記載の無線通信システム。
【請求項８】
前記機能選択手段において、前記所定の複数の機能は、「ボイスダイヤル」、「ボイス検索」及び「ボイス設定」を含んでいる請求項６又は請求項７に記載の無線通信システム。
【請求項９】
前記外部機器と前記携帯端末との間で行われる無線通信は、ブルートゥース又はＷＬＡＮによる無線通信である請求項６乃至請求項８のいずれかに記載の無線通信システム。
【請求項１０】
前記外部機器は、前記マイクの他にスピーカを有するヘッドセットである請求項６乃至請求項９のいずれかに記載の無線通信システム。
【請求項１１】
少なくともマイクを有する外部機器との間で音声認識開始要求を含む無線通信を行う、少なくとも２つの開閉可能な筐体を有する携帯端末において、
辞書を用いて前記外部機器からの音声信号の音声認識を行う音声認識部と、
前記外部機器からの前記音声認識開始要求に応じて、前記音声認識部を起動させる音声認識部起動手段と、
前記２つの筐体の開閉状態を検出する開閉状態検出手段と、
前記開閉状態検出手段での検出結果に応じた辞書を用いて、前記音声認識部起動手段により起動された前記音声認識部を用いて前記外部機器からの音声信号により、所定の複数の機能から少なくとも１つの機能を選択する機能選択手段と、
を備えた携帯端末。
【請求項１２】
前記機能選択手段は、前記開閉状態検出手段により前記２つの筐体の閉状態が検出された場合には、前記２つの筐体の開状態が検出された場合より前記携帯端末にて選択する機能の数を少なくする請求項１１に記載の携帯端末。
【請求項１３】
前記機能選択手段において、前記所定の複数の機能は、「ボイスダイヤル」、「ボイス検索」又は「ボイス設定」を含んでいる請求項１１又は請求項１２に記載の携帯端末。
【請求項１４】
前記機能選択手段において、前記所定の複数の機能は、「ボイスダイヤル」、「ボイス検索」、「ボイス設定」及び「カメラ操作」を含んでいる請求項１１又は請求項１２に記載の携帯端末。
【請求項１５】
前記外部機器との間で行われる無線通信は、ブルートゥース又はＷＬＡＮによる無線通信である請求項１１乃至請求項１４のいずれかに記載の携帯端末。
【請求項１６】
前記外部機器は、前記マイクの他にスピーカを有するヘッドセットである請求項１１乃至請求項１５のいずれかに記載の携帯端末。
【手続補正３】
【補正対象書類名】明細書
【補正対象項目名】０００１
【補正方法】変更
【補正の内容】
【０００１】
本発明は、携帯端末を音声認識で制御する携帯端末の音声認識制御方法及び音声認識機能を有する携帯端末を備える無線通信システムに関する。
【手続補正４】
【補正対象書類名】明細書
【補正対象項目名】０００９
【補正方法】変更
【補正の内容】
【０００９】
本発明は、係る事情に鑑みてなされたものであり、携帯端末の筐体を閉じた状態でも使用することができ、また携帯端末を鞄等の人体から離れた物に収容しても快適に使用することができ、さらに携帯端末の筐体を閉じた状態での使用時における音声の誤認識を少なくすることができる携帯端末の音声認識制御方法及び無線通信システムを提供することを目的とする。
【手続補正５】
【補正対象書類名】明細書
【補正対象項目名】００１０
【補正方法】変更
【補正の内容】
【００１０】
上記目的は下記方法及び構成により達成される。
本発明の携帯端末の音声認識制御方法は、少なくともマイクを有する外部機器と、前記外部機器との間で音声認識開始要求を含む無線通信を行う、少なくとも２つの開閉可能な筐体を有する携帯端末とを備えた無線通信システムにおける携帯端末の音声認識制御方法において、辞書を用いて前記外部機器からの音声信号の音声認識を行う音声認識工程と、前記外部機器からの前記音声認識開始要求に応じて、前記携帯端末にて前記音声認識工程を起動させる音声認識工程起動工程と、前記携帯端末にて前記２つの筐体の開閉状態を検出する開閉状態検出工程と、前記開閉状態検出工程での検出結果に応じた辞書を用いて、前記音声認識工程起動工程で起動された前記音声認識工程を用いて前記外部機器からの音声信号により、前記携帯端末にて所定の複数の機能から少なくとも１つの機能を選択する機能選択工程と、を備える。
【手続補正６】
【補正対象書類名】明細書
【補正対象項目名】００１２
【補正方法】変更
【補正の内容】
【００１２】
本発明の携帯端末の音声認識制御方法は、前記機能選択工程が、前記開閉状態検出工程で前記２つの筐体の閉状態が検出された場合には、前記２つの筐体の開状態が検出された場合より前記携帯端末にて選択する機能の数を少なくする。
【手続補正７】
【補正対象書類名】明細書
【補正対象項目名】００１４
【補正方法】変更
【補正の内容】
【００１４】
本発明の携帯端末の音声認識制御方法は、前記機能選択工程において、前記所定の複数の機能は、「ボイスダイヤル」、「ボイス検索」及び「ボイス設定」を含んでいる。
【手続補正８】
【補正対象書類名】明細書
【補正対象項目名】００１６
【補正方法】変更
【補正の内容】
【００１６】
本発明の携帯端末の音声認識制御方法は、前記外部機器と前記携帯端末との間で行われる無線通信は、ブルートゥース又はＷＬＡＮ（Wireless LAN）による無線通信である。
【手続補正９】
【補正対象書類名】明細書
【補正対象項目名】００１８
【補正方法】変更
【補正の内容】
【００１８】
本発明の携帯端末の音声認識制御方法は、前記外部機器は、前記マイクの他にスピーカを有するヘッドセットである。
【手続補正１０】
【補正対象書類名】明細書
【補正対象項目名】００２０
【補正方法】変更
【補正の内容】
【００２０】
本発明の無線通信システムは、少なくともマイクを有する外部機器と、前記外部機器との間で音声認識開始要求を含む無線通信を行う、少なくとも２つの開閉可能な筐体を有する携帯端末とを備えた無線通信システムにおいて、辞書を用いて前記外部機器からの音声信号の音声認識を行う音声認識部と、前記外部機器からの前記音声認識開始要求に応じて、前記携帯端末にて前記音声認識部を起動させる音声認識部起動手段と、前記携帯端末にて前記２つの筐体の開閉状態を検出する開閉状態検出手段と、前記開閉状態検出手段での検出結果に応じた辞書を用いて、前記音声認識部起動手段により起動された前記音声認識部を用いて前記外部機器からの音声信号により、前記携帯端末にて所定の複数の機能から少なくとも１つの機能を選択する機能選択手段と、を備える。
【手続補正１１】
【補正対象書類名】明細書
【補正対象項目名】００３０
【補正方法】変更
【補正の内容】
【００３０】
本発明の携帯端末は、少なくともマイクを有する外部機器との間で音声認識開始要求を含む無線通信を行う、少なくとも２つの開閉可能な筐体を有する携帯端末において、辞書を用いて前記外部機器からの音声信号の音声認識を行う音声認識部と、前記外部機器からの前記音声認識開始要求に応じて、前記音声認識部を起動させる音声認識部起動手段と、前記２つの筐体の開閉状態を検出する開閉状態検出手段と、前記開閉状態検出手段での検出結果に応じた辞書を用いて、前記音声認識部起動手段により起動された前記音声認識部を用いて前記外部機器からの音声信号により、所定の複数の機能から少なくとも１つの機能を選択する機能選択手段と、を備える。
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００４４
【補正方法】変更
【補正の内容】
【００４４】
本発明の携帯端末の音声認識制御方法及び無線通信システムは、携帯端末の筐体を閉じた状態でも使用することができ、また携帯端末を鞄等の人体から離れた物に収容しても快適に使用することができ、さらに携帯端末の筐体を閉じた状態での使用時における音声の誤認識を少なくすることができる。